(57)【要約】      （修正有）【課題】ジョギングや長距離走のトレーニング等の運動時に容易に水分を補給するための給水用具を提供する。【解決手段】携帯用の給水用器から給水チューブを介して給水する方法に用いられるチューブ２ｂであって、給水チューブの内径を６ｍｍ〜１ｍｍとする。また該給水用チューブを差し替えコネクターを介して２種類以上の違う内径のチューブにつなぎ、差し替えできることを特徴とした給水用チューブを備えて給水用具を形成する。【選択図】図３
0003172280.tif 000002
【実用新案登録請求の範囲】
【請求項１】
携帯用の給水用器から給水チューブを介して給水する方法であり、給水チューブの内径が６ｍｍ〜１ｍｍであることを特徴とする給水用チューブ。
【請求項２】
携帯用の給水用器から給水チューブを介して給水する方法であり、給水チューブの内径が６ｍｍ〜１ｍｍであることを特徴とする給水用チューブを備えた給水用具。
【請求項３】
携帯用の給水用器から給水チューブを介して給水する方法であり、給水チューブの内径が好適には４ｍｍ〜２ｍｍであることを特徴とする給水用チューブ。
【請求項４】
携帯用の給水用器から給水チューブを介して給水する方法であり、給水チューブの内径が好適には４ｍｍ〜２ｍｍであることを特徴とする給水用チューブを備えた給水用具。
【請求項５】
携帯用の給水用器から給水チューブを介して給水する方法であり、給水用チューブを差し替えコネクターを介して２種類以上の内径の違うチューブにつなぎ、差し替えできることを特徴とする給水用チューブ。
【請求項６】
携帯用の給水用器から給水チューブを介して給水する方法であり、給水用チューブを差し替えコネクターを介して２種類以上の違う内径のチューブにつなぎ、差し替えできることを特徴とする給水用チューブを備えた給水用具。
【請求項７】
請求項１から６に記載の給水用チューブ及びバルブであって、煮沸消毒をすることが可能な材質からなる給水用チューブ及びバルブ。
【考案の詳細な説明】
【技術分野】
【０００１】
本考案は、水分、栄養ドリンク等の溶液状態の飲料を、ウォーキング、ジョギング、登山等の運動時あるいは非常時に必要に応じて簡単に補給することができる飲料補給用携帯給水具に関するものである。特にジョギング、駅伝、マラソン等の長距離ランニングの練習時で、呼吸が荒く、飲料を吸引、摂取しにくい時に好適である。
【背景技術】
【０００２】
従来、ウォーキング、ジョギング、登山等の運動時に、水分を補給するためには水筒、ペットボトル、ハイドレーションバック等の容器を手に保持したり、またウエストポーチやリュック等の収納バックに保持し、給水の都度取り出して水分等を補給していた。
【０００３】
しかし、ウォーキング、ジョギング、登山等の運動時に給水容器を取り出して、水分の補給を行なうことは、ランニングフォームの乱れや登山中の安全面から好ましくなく、給水容器を収納したまま、手の持たず吸引チューブ等を介して吸引するタイプの携帯給水具が製品化されている。例えば、給水具を腕、肩、胴体等の身体に簡単に装着し、直接給水できるよう工夫したもの（実用新案登録第３１１２９４８号）や携帯用のウォーターキャリーバックからアウターチューブの先端に付いている吸い口を介して、直接給水できるタイプの商品もある（ハイドレーションチューブ、株式会社エバニュー製）がある。
【０００４】
これらの給水用具は、給水をする際に直接給水用ボトルや給水用バックを手で持つ必要がなく、ランニングフォームの乱れや登山中の安全面から好適な給水用具であるが、ジョギングや長距離走のトレーニング時には、直接給水用具から、または直接チューブから給水補給する際、大きく息を吸って給水を行わなければならず、息詰まり、呼吸の乱れ等のため、誰でもが容易に給水できる給水用具はなかった。
【先行技術文献】
【特許文献】
【０００５】
【特許文献１】実用新案登録第３１１２９４８号
【非特許文献】
【０００６】
【非特許文献１】株式会社エバニュー  ＥＢＹ２７１製品取扱説明書
【考案の概要】
【考案が解決しようとする課題】
【０００７】
上記特許文献１及び非特許文献１に記載された発明及び製品は、いずれも水分等の補給をジョギングや長距離走のトレーニングが手軽に使用できるものよう工夫されたものあったが、吸引による給水の容易さについての考慮はなかった。
【０００８】
ジョギングや長距離走のトレーニング等の長時間に渡る運動は、多量のエネルギーを消費し、かつ短時間に体力消耗をおこすことが常識となっているため、一定時間以上のランニング等の急激な運動においては、人の生理的な機序から、水分、塩分等の補給は必要不可欠なものとなっている。
【０００９】
特に、ジョギングや長距離走のトレーニング等で走っている場合、水分等を補給することは容易なことではない。公園で給水したりまたは市中に設置されている自動販売機等で缶やペットボトル等飲料製品を購入し、水分を補給できたとしても、ジョギングや長距離走のトレーニング等を一旦中断しなければならい。そこでジョギングや長距離走のトレーニング等運動を継続しながら給水を取るための携帯型の給水容器が製品化されたが、給水容器から呼吸の乱れがなく容易に給水することが困難であった。
【００１０】
従来から製品化されている携帯型の給水容器から容易に吸引により給水できない理由は、吸引チューブの内径の太さに起因する。吸引チューブを介して携帯用の給水用器から給水する際に、吸引チューブの太さが太いと大きく息を吸ってゆっくり強く吸引しないと給水ができず、ジョギングや長距離走のトレーニング等過度の負荷をかけた運動の際の、息が上がった状態でかつ呼吸の乱れや息継ぎの困難さがある時に、大きく息を吸ってゆっくり強く吸引することは容易ではない。
【００１１】
また、ジョギングや長距離走のトレーニング等で運動負荷の程度が違ったり、個人個人の体力、肺活量、運動時における呼吸の荒さに起因して、吸引チューブを介して携帯用の給水用器から給水する際、どの太さの吸引チューブを使えば、最も楽に給水を行うことができるかには、ばらつきが生じることが考えられる。
【課題を解決するための手段】
【００１２】
本考案は、上記の課題を解決するためになされたのもので、請求項１から４に記載の携帯用の給水用器から給水チューブを介して給水する方法及び給水用器に関するものであり、吸引チューブの内径を６ｍｍ〜１ｍｍであること、好適には４ｍｍ〜２ｍｍであることを特徴とするものである。
【００１３】
また、本考案は、請求項５及び６に記載の携帯用の給水用器から給水チューブを介して給水する方法及び給水用器に関するものであり、給水用チューブを差し替えコネクターを介して２種類以上の内径の違うチューブにつなぎ、異なる太さの吸引チューブを差し替えることで個人個人が最も楽に給水できるチューブを選択できることを特徴とするものである。
【００１４】
また、本考案は、請求項７に記載の吸引チューブ及びコネクターに関するものであり、繰り返し使用できるように、煮沸消毒が可能な材質であることを特徴とするものである。
【考案の効果】
【００１５】
本考案は上記のような特徴からなる吸引チューブから構成された吸引容器からなり、次に記載のような顕著な効果を奏する。
（１）内径６ｍｍ〜１ｍｍ、好適には４ｍｍ〜２ｍｍのチューブより、ジョギングや長距離走のトレーニング等の運動負荷の係った状態において、最も吸引し易いチューブを選択することで、走行しながら無理なく容易に吸水を行うことが出来る。
【００１６】
（２）上記（１）により、従来の内径の太いチューブでの吸引による過度の呼吸の乱れや誤飲等を引き起こすことが低減され、この吸引チューブの径を小さくすることによって容易に吸引することが可能となり、ジョギングや長距離走のトレーニング等の運動目的を達成することができる。
【００１７】
（３）従来のように、単に運動中の飲食物摂取を目的とするもの、或いは運動中の吸引による吸水を目的とするものとは異なり、給水用ボトルと接続する吸水チューブアダプター及び吸水用チューブに工夫を加えるものであるため、比較的安価かつ容易に製造することができる。
【００１８】
（４）本給水用チューブをジョギングや長距離走のトレーニング等を行う際に繰り返し使用する前に、差し替えコネクターを利用することにより、使用者個人個人が最も楽に給水できる径のチューブを選択することが可能である。
【図面の簡単な説明】
【００１９】
【図１】チューブ直結方式で、本考案のチューブを従来の吸引用ボトルに取り付けたときの全体を示す平面図である。１．吸い口（ＥＢＹ２７１のパーツ）２．吸引チューブ３．チューブ連結ノズル付キャップ（ＥＢＹ２７１のパーツ）４．ボトル内チューブ５．ペットボトル
【図２】チューブ直結方式用のチューブの平面図である。
【図３】接続アダプター方式で、従来の吸引用ボトルに径の小さいチューブを取り付けたときの平面図である。１及び３．従来の市販品２ａ．本考案のアダプター２ｂ．本考案のチューブ
【図４】接続アダプター方式のアダプター平面図である。
【図５】お試しキット（三又方式）の平面図である。
【図６】お試しキット（ネジ式）の平面図である。
【考案を実施するための形態】
【００２０】
使用者が選択した最も吸引し易い径の吸引チューブ、または、最も吸引し易い径の吸引チューブと２種類以上の内径の違うチューブをつなぐ差し替えコネクターであり、それらを装着した給水用具である。
【００２１】
使用者が最も吸引し易い径のチューブを選択するための、複数に分岐した、２種類以上の内径の違うチューブをつなぐ差し替えコネクターである。
【００２２】
使用者が最も吸引し易い径のチューブを選択するための、ネジ式により異なる径のコネクターに交換可能な、２種類以上の内径の違うチューブをつなぐ差し替えコネクターである。
【実施例】
【００２３】
以下に、本考案の一実施例を図に基づき詳細に説明する。図１は、株式会社エバーニューのハイドレーションチューブ（ＥＢＹ２７１）を用いて５００ｍｌペットボトルに使用者が最も吸引し易い径の本考案のチューブを取り付けたときの全体を示す平面図であり、図２は上記チューブの平面図である。
【００２４】
これらの図において、１及び３はハイドレーションチューブ（ＥＢＹ２７１）を構成するパーツであり、１はチューブに接続するノズルを持つ吸い口、３はチューブに接続する二つのノズルを持つペットボトル用キャップであり、５は各種市販飲料のペットボトル等の容器である。
【００２５】
本考案の２および４のチューブは、ある程度伸縮性を有する材料により形成し、煮沸消毒可能な材質とする。また、運動時の衝撃等により容易にノズルから抜けないように、図２の様に、ノズル付近はノズルの径に合致するサイズ（６ｍｍおよび５ｍｍ）とし、その他の部分は使用者が最も吸引し易い径（たとえばそれぞれ２、３及び４ｍｍ）とする。
【００２６】
また、２のチューブの長さは使用者によって左右するが、概ね７０ｃｍ程度が好適であり、２のチューブの長さは、ペットボトル等の容器の大きさに応じて切断して調整することができる。
【００２７】
図３は２種類以上の内径の違うチューブをつなぐコネクターを使用した場合であり、図１と同様に１及び３はハイドレーションチューブ（ＥＢＹ２７１）を構成するパーツである。
【００２８】
２ａのアダプターは図４に示す通り、吸い口側及びボトル側のそれぞれノズル径（６ｍｍ）に合わせ、チューブ側は使用者が最も吸引し易い径（たとえばそれぞれ２、３及び４ｍｍ）のものを用意する。２ｂのチューブは、使用者が最も吸引し易い径（たとえばそれぞれ２、３及び４ｍｍ）とする。
【００２９】
図５及び６ は、使用者が最も吸引し易い径のチューブを選択するための差し替えコネクターである。
【００３０】
図５に示す分岐式は、３のキャップの容器側ノズルにハイドレーションチューブ（ＥＢＹ２７１）付属のチューブを短く（２０ｍｍ程度）切断したチューブを介して、分岐した差し替えコネクターを装着する。
【００３１】
分岐した差し替えコネクターの分岐した側は、各種径（たとえば外径２、３及び４ｍｍ）のチューブを接続することができ、目的とするチューブを、その径に応じたコネクターの先に接続し、使用しない径のコネクターの先にキャップをはめ、使用者が必要とする運動負荷時に、実際に各種径のチューブを通して、吸引を試行することができる。
【００３２】
図６に示すネジ式の場合は、３のキャップの容器側ノズルにハイドレーションチューブ（ＥＢＹ２７１）付属のチューブを短く（２０ｍｍ程度）切断したチューブを介して装着したアダプターに（たとえば外径２、３及び４ｍｍ）のチューブ側ネジを装着し、これにチューブを取り付け、使用者が必要とする運動負荷時に、実際に各種径のチューブを通して、吸引を試行することができる。
【産業上の利用可能性】
【００３３】
近年の健康志向に伴い四季を通じてジョギングや長距離走トレーニングを行なう人口は特に中高年を中心に飛躍的に増加している。特に夏場など、高温多湿状況では、体内の水分量の減少や体温上昇がおき、長時間、長距離に渡って、給水をせず運動を続けることは、脱水症状、熱中症、血圧上昇など生命維持に重大な影響を及ぼすことが考えられる。かかる給水容器を手軽に保持し、しかも生体に負荷なく給水することができれば、体調不良による救急車との利用回数も減ると考えられ、医療費等の削減にも繋がる。
【符号の説明】
【００３４】
１及び３  従来の市販品
２ａ  本考案のアダプター
２ｂ  本考案のチューブ
【図１】
0003172280.tif 000003
【図２】
0003172280.tif 000004
【図３】
0003172280.tif 000005
【図４】
0003172280.tif 000006
【図５】
0003172280.tif 000007
【図６】
0003172280.tif 000008
【手続補正書】
【提出日】平成23年7月8日(2011.7.8)
【手続補正１】
【補正対象書類名】実用新案登録請求の範囲
【補正対象項目名】全文
【補正方法】変更
【補正の内容】
【実用新案登録請求の範囲】
【請求項１】
携帯用の給水用器から給水チューブを介して給水する方法に用いられるチューブであり、給水チューブの内径が６ｍｍ〜１ｍｍであることを特徴とする給水用チューブ。
【請求項２】
携帯用の給水用器から給水チューブを介して給水する方法に用いられるチューブであり、給水チューブの内径が６ｍｍ〜１ｍｍであることを特徴とする給水用チューブを備えた給水用具。
【請求項３】
携帯用の給水用器から給水チューブを介して給水する方法に用いられるチューブであり、給水チューブの内径が好適には４ｍｍ〜２ｍｍであることを特徴とする給水用チューブ。
【請求項４】
携帯用の給水用器から給水チューブを介して給水する方法に用いられるチューブであり、給水チューブの内径が好適には４ｍｍ〜２ｍｍであることを特徴とする給水用チューブを備えた給水用具。
【請求項５】
携帯用の給水用器から給水チューブを介して給水する方法に用いられるチューブであり、給水用チューブを差し替えコネクターを介して２種類以上の内径の違うチューブにつなぎ、差し替えできることを特徴とする給水用チューブ。
【請求項６】
携帯用の給水用器から給水チューブを介して給水する方法に用いられるチューブであり、給水用チューブを差し替えコネクターを介して２種類以上の違う内径のチューブにつなぎ、差し替えできることを特徴とする給水用チューブを備えた給水用具。
【請求項７】
請求項１から６に記載の給水用チューブ及び請求項５から６に記載の差し替えコネクターであって、煮沸消毒をすることが可能な材質からなる給水用チューブ及び差し替えコネクター。
【手続補正書】
【提出日】平成23年9月17日(2011.9.17)
【手続補正１】
【補正対象書類名】実用新案登録請求の範囲
【補正対象項目名】請求項７
【補正方法】変更
【補正の内容】
【請求項７】
請求項１、３、５の何れか一項に記載の給水用チューブ、又は、請求項２、４、６の何れか一項に記載の給水用具において、給水チューブは煮沸消毒をすることが可能な材質からなることを特徴とする給水用チューブ又は給水用具。